(57)【要約】【課題】  名札の表示部分やアクセサリーの装飾部分を好適な位置に調整できるとともに、その状態で保持することができる装着式身飾品の提供を目的とする。【解決手段】  衣服等の被着部１１に装着される装着部材１２と、装着部材１２に支持された装飾表示部材１３とを備え、装飾表示部材１３は、角度調整部材１４を介して装着部材１２に支持され、角度調整部材１４には、装着部材１２に支持され、両側縁より突出した回動支持片１８，１８を有する基部１５と、回動支持片１８に回動自在に支持された可動片２１を介して基部１５に回動可能に支持され、装飾表示部材１３を保持する可動部１６と、可動片２１と回動支持片１８とを互いに接近する方向に付勢する弾性ばね１７とを備え、可動部１６を基部１５に対して所望の角度で保持できるようにした。【選択図】  図１
2005283770.tif 000002
【特許請求の範囲】
【請求項１】
衣服や身体の一部等の被装着部に装着される装着部材と、該装着部材に支持された装飾表示部材とを備えた装着式身飾品において、
前記装飾表示部材は、角度調整部材を介して前記装着部材に支持され、
前記角度調整部材には、前記装着部材に支持され、両側縁より突出した回動支持片を有する基部と、前記回動支持片に回動自在に支持された可動片を介して前記基部に回動可能に支持され、前記装飾表示部材を保持する可動部と、前記可動片と前記回動支持片とを互いに接近する方向に付勢する弾性ばねとを備え、前記可動部を前記基部に対して所望の角度で保持できるようにしたことを特徴としてなる装着式身飾品。
【請求項２】
可動部は、両側縁に可動片を一体に配したコ字形状に形成され、基部及び前記可動部を各回動支持片に対して可動片がそれぞれ同方向より重なり合うように配置し、重なり合った回動支持片及び可動片に回動支軸を貫通させた請求項１に記載の装着式身飾品。
【発明の詳細な説明】
【技術分野】
【０００１】
本発明は、名札、簪、イヤリング、ブローチ等の衣服又は身体の一部に装着される装着式身飾品に関する。
【背景技術】
【０００２】
従来、衣服に身につける名札には、その裏面に安全ピンやクリップ状の装着部材が一体的に備えられ、その装着部材を介して衣服等に装着するようになっている（例えば、特許文献１を参照）。
【０００３】
また、簪、イヤリング又はブローチ等のアクセサリーは、頭髪部に挿入される棒状の部分や耳を挟持する部分等の身体や頭髪部等の被着部に装着される装着具に装飾部が固定されており、その装着具を介して装着されることにより装飾部により装飾されたアクセサリーを身につけることができるようになっている（例えば、特許文献２を参照）。
【特許文献１】特開平９―２６６８１０号公報
【特許文献２】特開２０００−１１６４２０号公報
【発明の開示】
【発明が解決しようとする課題】
【０００４】
しかし、上述の如き従来の名札では、衣服に装着した際に名札の表示部表面が下を向いてしまい、相手側から名札に記載された氏名等の表示が読み取りづらいという問題があった。
【０００５】
また、上述の如き従来のアクセサリーでは、頭髪部や耳の形状等には個人差があり、人によってアクセサリーを身に付けた際の装飾部分の向く方向が異なり、装飾部分が必ずしも最も見栄えの良い位置に配置されるとは限らないという問題があった。
【０００６】
そこで本発明は、上述の従来技術の問題を鑑み、名札の表示部分やアクセサリーの装飾部分を好適な位置に調整できるとともに、その状態で保持することができる装着式身飾品の提供を目的とする。
【課題を解決するための手段】
【０００７】
上述の如き従来の問題を解決し、所期の目的を達成するための請求項１に記載の発明は、衣服や身体の一部等の被装着部に装着される装着部材と、該装着部材に支持された装飾表示部材とを備えた装着式身飾品において、前記装飾表示部材は、角度調整部材を介して前記装着部材に支持され、前記角度調整部材には、前記装着部材に支持され、両側縁より突出した回動支持片を有する基部と、前記回動支持片に回動自在に支持された可動片を介して前記基部に回動可能に支持され、前記装飾表示部材を保持する可動部と、前記可動片と前記回動支持片とを互いに接近する方向に付勢する弾性ばねとを備え、前記可動部を前記装着部材に対して所望の角度で保持できるようにした装着式身飾品であることを特徴とする。
【０００８】
請求項２に記載の発明は、請求項１の構成に加え、可動部は、両側縁に可動片を一体に配したコ字形状に形成され、基部及び前記可動部を、各回動支持片に対して可動片がそれぞれ同方向より重なり合うように配置し、重なり合った回動支持片及び可動片に回動支軸を貫通させたことを特徴とする。
【発明の効果】
【０００９】
本発明に係る装着式身飾品は、衣服や身体の一部等の被装着部に装着される装着部材と、該装着部材に支持された装飾表示部材とを備えた装着式身飾品において、前記装飾表示部材は、角度調整部材を介して前記装着部材に支持され、前記角度調整部材には、前記装着部材に支持され、両側縁より突出した回動支持片を有する基部と、前記回動支持片に回動自在に支持された可動片を介して前記基部に回動可能に支持され、前記装飾表示部材を保持する可動部と、前記可動片と前記回動支持片とを互いに接近する方向に付勢する弾性ばねとを備え、前記可動部を前記装着部材に対して所望の角度で保持できるようにしたことによって、名札の表示部分やアクセサリー等の装飾部分を好適な位置に調整し、その状態で保持することができ、名札の表示部に記載された氏名を明確に読み取ることができたり、或いは見栄えの良い位置に装飾部を配置することができたりする。
【００１０】
また、可動片と回動支持片との間の摩擦が弾性ばねに付勢されることにより生じているため、カシメ等による場合と異なりその効果が長期的に持続し、常に所望の角度に保持することができる。
【００１１】
可動部は、両側縁に可動片を一体に配したコ字形状に形成され、基部及び前記可動部を各回動支持片に対して可動片がそれぞれ同方向より重なり合うように配置し、両側部の重なり合った回動支持片及び可動片に回動支軸を貫通させたことによって、構造を簡素化し、安価に製造することができる。
【発明を実施するための最良の形態】
【００１２】
次に、本発明に係る装着式身飾品について説明する。
【００１３】
図１は、装着式身飾品の一例として装着式名札を示している。
【００１４】
装着式名札１０は、衣服等の被着部１１に装着するための安全ピン等の装着部材１２と、名札の表示部からなる装飾表示部材１３とを備え、装飾表示部材１３が角度調整部材１４を介して装着部材１２に支持されている。
【００１５】
角度調整部材１４は、図２に示すように、装着部材１２に支持された基部１５と、装飾表示部材１３を保持する可動部１６と、基部１５と可動部１６とを弾性的に接触させるための弾性ばね１７とを備え、基部１５に対し可動部１６が互いに回動可能且つ所望の角度で保持できるように支持されている。
【００１６】
基部１５は、両側縁より突出した回動支持片１８，１８を一体に有するコ字形状に形成され、両回動支持片１８の中央部には、回動支軸１９が挿通される軸挿通孔２０が形成されている。
【００１７】
可動部１６は、両側縁より突出した可動片２１，２１を一体に有するコ字形状に形成され、両可動片２１，２１の中央部には、回動支軸１９が挿通される軸挿通孔２２が形成されている。
【００１８】
基部１５と可動部１６とは、コ字型を対向させて互いに噛み合せたように配置、即ち、各回動支持片１８，１８に対して可動片２１がそれぞれ同方向より重なり合うように配置され、重なり合った回動支持片１８及び可動片２１の軸挿通孔２０，２２に回動支軸１９を貫通させることによって可動片２１が回動支持片１８に回動自在に支持され、それによって可動部１６が可動片２１，２１を介して基部１５に対して回動自在に支持されるようになっている。
【００１９】
また、回動支軸１９の両端部には、軸挿通孔２０，２２径より大径の抜け止め部２３，２３が一体に形成され、基部１５及び可動部１６が互いに軸方向に抜け止めされている。
【００２０】
弾性ばね１７は、コイルスプリングをもって構成され、内側に配置された回動支持片１８と可動片２１との間、回動支軸１９の外周部に縮められた状態で設置され、内側の回動支持片１８及び可動片２１にそれぞれ反力をとって、回動支持片１８と可動片２１とを互いに接近する方向に付勢するようになっている。
【００２１】
このように回動支持片１８と可動片２１とが互いに押し付けられることによって回動支持片１８と可動片２１との間に好適な摩擦抵抗が生じ、その摩擦抵抗により基部１５に対して可動部１６が所望の角度で保持されるようになっている。
【００２２】
尚、上述の実施例では、弾性ばね１７にコイルスプリングを使用した例について説明したが、板ばね等、その他のばねを使用してもよい。
【００２３】
図３は、本発明に係る装着式身飾品の他の一例を示し、図中符号３０は簪である。尚、上述の実施例と同一のものには同一符号を付して説明を省略する。
【００２４】
簪３０は、頭髪部に差し込まれる二股棒状の装着部材３１と、花飾り等の装飾品からなる装飾表示部材３２とを備え、装飾表示部材３２が角度調整部材１４を介して装着部材３１に支持されている。
【００２５】
角度調整部材１４は、上述の実施例と同様に形成され、装飾表示部材３２は、装着部材２０に対し、角度調整可能且つその位置で保持できるようになっている。
【００２６】
また、上述の実施例において、装着式身飾品が装着式名札及び簪である場合について説明したが、装着式身飾品には、イヤリング、ブローチ又は帯留め等のアクセサリーの他、様々なものに適用することができる。
【図面の簡単な説明】
【００２７】
【図１】本発明に係る装着式身飾品の一例を示す側面図である。
【図２】（ａ）は同上の角度調整部材を示す平面図、（ｂ）は同側面図である。
【図３】（ａ）は本発明に係る装着式身飾品の他の一例を示す側面図、（ｂ）は同底面図である。
【符号の説明】
【００２８】
１０  装着式名札
１１  被着部（衣服）
１２  装着部材
１３  装飾表示部材
１４  角度調整部材
１５  基部
１６  可動部
１７  弾性ばね
１８  回動支持片
１９  回動支軸
２０  軸挿通孔
２１  可動片
２２  軸挿通孔
２３  抜け止め部
３０  簪
３１  装着部材
３２  装飾表示部材
【図１】
2005283770.tif 000003
【図２】
2005283770.tif 000004
【図３】
2005283770.tif 000005